(57)【要約】      （修正有）【課題】簡潔な構成で、外部のガス供給管からガスが供給されるガス調理器（ガスコンロ）から、ガスオーブンなどの他のガス機器へガスの供給を行うことが可能なガス調理器を提供する。【解決手段】被調理物を加熱するガスバーナと、バルブ入口およびバルブ出口を備え、ガスバーナへのガスの供給を制御するガスバルブと、ガスバルブにガスを供給するガス導管と、ガス導管の入口となり、機器外部からガスを供給するための接続部となる外部ガス接続部とを備えたガス調理器において、ガス導管６０の、一端６０ａ側から他端６０ｂ側に至る途中領域の所定の位置に、ガスバルブ５０が接続される、ガスバルブ接続用継手が配設され、ガス導管の一端側に、外部ガス接続部６１が配設され、ガス導管の他端側に、他のガス機器にガスを供給する外部機器用ガス供給継手６２が配設されるように構成する。【選択図】図２Ａ
2018200118.tif 000002
【特許請求の範囲】
【請求項１】
被調理物を加熱するガスバーナと、
バルブ入口および、前記ガスバーナへのガスの供給口となるバルブ出口を備え、前記ガスバーナへのガスの供給を制御するガスバルブと、
前記バルブ入口と接続され、前記ガスバルブにガスを供給するガス導管と、
前記ガス導管の入口となり、機器外部からガスを供給するための接続部となる外部ガス接続部と、を備えたガス調理器であって、
前記ガス導管の、一端側から他端側に至る途中領域の所定の位置に、前記ガスバルブの前記バルブ入口と接続される、ガスバルブ接続用継手が配設されており、
前記ガス導管の前記一端側に、前記外部ガス接続部が配設され、
前記ガス導管の前記他端側に、他のガス機器にガスを供給する外部機器用ガス供給継手が配設されていること、
を特徴とするガス調理器。
【請求項２】
前記ガスバルブは、前記バルブ入口を平面視した場合において、前記バルブ入口の前記ガスが通流する領域より外側に突出するように形成され、かつ、上下方向に貫通する貫通口が設けられたフランジ部を備え、
前記ガスバルブ接続用継手は、平面視における前記ガスの通流する領域より外側の領域であって、前記ガスバルブの前記フランジ部と、前記ガスバルブ接続用継手が所定の位置関係にあるときに、前記フランジ部の前記貫通口と対向する位置に、上方から下方に向かう雌ネジを備え、
前記ガスバルブ接続用継手の前記雌ネジ上に前記フランジ部の前記貫通口が位置する状態で、前記貫通口の上方から挿入され、前記雌ネジに螺入される固定用雄ネジを備えていること
を特徴とする請求項１記載のガス調理器。
【発明の詳細な説明】
【技術分野】
【０００１】
本発明は、バーナにおいて燃料であるガスを燃焼させて食材を加熱するように構成されたガス調理器に関する。
【背景技術】
【０００２】
ガス調理器の中には、外部のガス供給管からガスが供給されるガス調理器であって、そのガス調理器から、例えば、ガスオーブンなどの他のガス機器にガスを供給することができるように構成されたガス調理器がある。
【０００３】
そのようなガス調理器として、特許文献１には、ドロップイン形式で設置されるガス調理器（ガスコンロ）をガスオーブンの上方に設置した状態において、ガスオーブンからのガス供給管が接続されるガスオーブン用ガス取入口と、コンロをキャビネットの上方に設置した状態においてガス供給管が接続されるキャビネット用ガス取入口とが各別に備えられているガス調理器が記載されている。
【０００４】
このように構成されたガス調理器では、ガス調理器（ガスコンロ）とともに、例えばガスオーブンなどの他のガス機器が設置される場合、ガス供給管をキャビネット用ガス取入口に接続して、ガス調理器（ガスコンロ）にガスを供給するとともに、ガスオーブン用ガス取入口から、ガスオーブンなどの他のガス機器のガス取入口にガス供給管を接続して、ガスオーブンなどの他のガス機器へガスを供給することで、別途、他のガス機器のガス取入口に外部のガス供給管を接続することが不要になる点で有意義である。
【先行技術文献】
【特許文献】
【０００５】
【特許文献１】特開２００１−０１２７４２号公報
【発明の概要】
【発明が解決しようとする課題】
【０００６】
しかしながら、特許文献１のガス調理器において、ガス供給管をキャビネット用ガス取入口に接続して、ガス調理器（ガスコンロ）にガスを供給するとともに、ガスオーブン用ガス取入口から、ガスオーブンなどの他のガス機器へガスの供給を行うようにした場合、上記キャビネット用ガス取入口からガス調理器（ガスコンロ）にガスを供給するガス供給経路から、ガスオーブンなどの他のガス機器用のガス取入口に向かうガス供給経路への分岐点において、ガス供給経路を分岐させる必要が生じる。
【０００７】
つまり、この分岐点において、分岐点とガスオーブンなどの他のガス機器用のガス取入口に向かうガス供給経路との間の接続が必要であり、分岐点とガスオーブンなどの他のガス機器用のガス取入口に向かうガス供給経路との間の接続は、ガス漏れが生じないような確実な接続を行うことが必要になり、構造の複雑化を招くという問題点がある。
【０００８】
本発明は、上記課題を解決するものであり、外部のガス供給管からガスが供給されるガス調理器（ガスコンロ）から、ガスオーブンなどの他のガス機器へガスの供給を行うことが可能で、かつ、ガス調理器（ガスコンロ）にガスを供給するガス供給経路からガスオーブンなどの他のガス機器へのガスの供給を行うためのガス供給経路への分岐が不要で、構造の簡素化を実現することが可能なガス調理器を提供することを目的とする。
【課題を解決するための手段】
【０００９】
上記の目的を達成するために、本発明のガス調理器は、
被調理物を加熱するガスバーナと、
バルブ入口および、前記ガスバーナへのガスの供給口となるバルブ出口を備え、前記ガスバーナへのガスの供給を制御するガスバルブと、
前記バルブ入口と接続され、前記ガスバルブにガスを供給するガス導管と、
前記ガス導管の入口となり、機器外部からガスを供給するための接続部となる外部ガス接続部と、を備えたガス調理器であって、
前記ガス導管の、一端側から他端側に至る途中領域の所定の位置に、前記ガスバルブの前記バルブ入口と接続される、ガスバルブ接続用継手が配設されており、
前記ガス導管の前記一端側に、前記外部ガス接続部が配設され、
前記ガス導管の前記他端側に、他のガス機器にガスを供給する外部機器用ガス供給継手が配設されていること、
を特徴としている。
【００１０】
本発明のガス調理器においては、
前記ガスバルブは、前記バルブ入口を平面視した場合において、前記バルブ入口の前記ガスが通流する領域より外側に突出するように形成され、かつ、上下方向に貫通する貫通口が設けられたフランジ部を備え、
前記ガスバルブ接続用継手は、平面視における前記ガスの通流する領域より外側の領域であって、前記ガスバルブの前記フランジ部と、前記ガスバルブ接続用継手が所定の位置関係にあるときに、前記フランジ部の前記貫通口と対向する位置に、上方から下方に向かう雌ネジを備え、
前記ガスバルブ接続用継手の前記雌ネジ上に前記フランジ部の前記貫通口が位置する状態で、前記貫通口の上方から挿入され、前記雌ネジに螺入される固定用雄ネジを備えていること
が好ましい。
【発明の効果】
【００１１】
本発明のガス調理器は、上述のように、被調理物を加熱するガスバーナと、バルブ入口およびバルブ出口を備え、ガスバーナへのガスの供給を制御するガスバルブと、ガスバルブにガスを供給するガス導管と、ガス導管の入口となり、機器外部からガスを供給するための接続部となる外部ガス接続部とを備えたガス調理器において、ガス導管の、一端側から他端側に至る途中領域の所定の位置に、ガスバルブが接続されるガスバルブ接続用継手が配設され、ガス導管の一端側に、外部ガス接続部が配設され、ガス導管の他端側に、他のガス機器にガスを供給する外部機器用ガス供給継手が配設されるように構成されているので、機器外部のガス供給管からガスが供給されるガス調理器を経て、ガスオーブンなどの他のガス機器へガスの供給が可能になる。その結果、ガス調理器（ガスコンロ）にガスを供給するガス供給経路からガスオーブンなどの他のガス機器へガスの供給を行うためのガス供給経路への分岐が不要で、構造が簡潔なガス調理器を実現することが可能になる。
【００１２】
また、（ａ）ガスバルブは、バルブ入口を平面視した場合において、バルブ入口のガスが通流する領域より外側に突出するように形成され、かつ、上下方向に貫通する貫通口が設けられたフランジ部を備え、（ｂ）ガスバルブ接続用継手は、平面視におけるガスの通流する領域より外側の領域であって、ガスバルブのフランジ部と、ガスバルブ接続用継手が所定の位置関係にあるときに、フランジ部の貫通口と対向する位置に、上方から下方に向かう雌ネジを備え、（ｃ）ガスバルブ接続用継手の雌ネジ上にフランジ部の貫通口が位置する状態で、貫通口の上方から挿入され、雌ネジに螺入される固定用雄ネジを備える構成とした場合、ガスバルブのフランジに設けられた貫通口の上から、挿入した固定用雄ネジを、ガス導管に配設されたガスバルブ接続用継手に形成された上記雌ネジに螺入して、上記固定用雄ネジと上記雌ネジを締結することで、バルブ入口とガスバルブ接続用継手とを接続することができる。
【００１３】
したがって、ガス調理器の生産工程において、上方からの作業によってバルブ入口とガスバルブ接続用継手とを、容易、かつ、確実に接続することが可能で、生産性に優れたガス調理器を実現することができる。
【図面の簡単な説明】
【００１４】
【図１】本発明の実施形態に係るガス調理器（グリル付きガスコンロ）の外観構成を示す斜視図である。
【図２Ａ】本発明の実施形態に係るガス調理器（グリル付きガスコンロ）のガス供給経路とガスバルブとを示す平面図である。
【図２Ｂ】本発明の実施形態に係るガス調理器（グリル付きガスコンロ）のガス供給経路とガスバルブとを示す、図２ＡのＩＶ−ＩＶ線による正断面図である。
【図３】図２Ａにおいてガスバルブの記載を省略した平面図である。
【図４】本発明の実施形態に係るガス調理器（グリル付きガスコンロ）のガス供給経路とガスバルブとを示す、図２ＡのＩＶ−ＩＶ線による要部断面図（正断面図）である。
【図５】本発明が関連するガス調理器（グリル付きガスコンロ）のガス供給経路とガスバルブとを示す要部切欠き正面図である。
【発明を実施するための形態】
【００１５】
以下、本発明の実施形態を示して、その特徴とするところをさらに詳しく説明する。
【００１６】
［実施形態］
この実施形態にかかるガス調理器は、コンロ部とグリルを備えたビルトイン型のガスコンロである。
【００１７】
＜基本構成＞
図１に示すように、この実施形態にかかるガス調理器（ガスコンロ）１は、コンロ部２ａと、グリル２ｂとを備えている。このコンロ部２ａとグリル２ｂとが加熱部２を構成している。
【００１８】
この実施形態にかかるガス調理器１においては、加熱部２を構成するコンロ部２ａとして、ガス調理器本体Ｈの天面部を構成するトッププレート１１上に２つのコンロ部２ａが設けられている。詳しくは、この実施形態にかかるガス調理器では、図１に示すように、向かって左側および右側に、高火力のコンロバーナ３１を備えたコンロ部２ａが設けられている。
【００１９】
なお、トッププレート１１の上面には２つのコンロバーナ３１のそれぞれを中心にして五徳２１が設けられており、コンロバーナ３１と五徳２１と、特に図示しない点火装置および点火検知装置などにより、加熱部２としてのコンロ部２ａが構成されている。
【００２０】
また、ガス調理器１には、図１に示すように、加熱部２を構成するグリル２ｂが設けられている。グリル２ｂは、特に図示しないが、ガス調理器１の本体内の中央部に形成されるグリル庫と、グリル庫内に設けられる加熱手段としてのグリルバーナと、点火装置および点火検知装置とを備えた構成とされている。グリル２ｂの前端はガス調理器１の前面部に開口していて、グリル扉２８によって開閉可能に構成されている。
【００２１】
グリル扉２８の両側には、図１に示すように、グリル扉２８とともにガス調理器１の前面部１２を構成する前面パネルＰ１、Ｐ２が設けられており、左側の前面パネルＰ１の上側には、左側のコンロバーナ３１を点火／消火するための点消火ボタン１４ａが設けられている。
【００２２】
また、右側の前面パネルＰ２の上側の左側より、グリルバー３１を点火／消火するための点消火ボタン１４ｂ、右側のコンロバーナ３１を点火／消火するための点消火ボタン１４ｃが設けられている。
【００２３】
そして、これら点消火ボタン１４（１４ａ、１４ｂ、１４ｃ）が、加熱部２での加熱の開始／加熱の停止を手動で行うための加熱／停止手動操作部を構成している。
【００２４】
また前面部１２には、各加熱部２の加熱量を手動で調節するための加熱量手動操作部となる火力調節レバー１５（１５ａ、１５ｂ、１５ｃ）が、それぞれ各点消火ボタン１４ａ、１４ｂ、１４ｃの上に設けられている。
なお、火力調節レバー１５ａは左側のコンロバーナ３１用の火力調節レバー、火力調節レバー１５ｂはグリルバーナ用の火力調節レバー、１５ｃは右側のコンロバーナ３１用の火力調節レバーである。
【００２５】
＜特徴的構成＞
この実施形態にかかるガス調理器１には、点消火ボタン１４（１４ａ、１４ｂ、１４ｃ）の操作によって、コンロバーナ３１やグリルバーナなどのガスバーナ）に供給されるガスの通流および非通流を切り換え、火力調節レバー１５の操作によって各バーナ（コンロバーナ３１やグリルバーナ）に供給されるガスの通流量の大小を調節するガスバルブ５０、つまり、ガスバーナ（コンロバーナ３１やグリルバーナ）へのガスの供給を制御するガスバルブ５０（５０ａ、５０ｂ、５０ｃ）を備える（図２Ａ参照）。
【００２６】
なお、各ガスバルブ５０のうち、ガスバルブ５０ａは、左側のコンロバーナ３１へのガスの供給を制御し、ガスバルブ５０ｂは、グリルバーナへのガスの供給を制御し、ガスバルブ５０ｃは、右側のコンロバーナ３１へのガスの供給を制御するものである。
【００２７】
各ガスバルブ５０（５０ａ、５０ｂ、５０ｃ）は、スライダ５１（５１ａ、５１ｂ、５１ｃ）（図２Ａ参照）を備え、点消火ボタン１４（１４ａ、１４ｂ、１４ｃ）の後方への押し操作によって、スライダ５１が後方にスライド移動して、ガスが通流し、点消火ボタン１４（１４ａ、１４ｂ、１４ｃ）の前方への戻し操作によって、スライダ５１が前方にスライド移動して、ガスが遮断されるように構成されるものであるが、このような構成は、周知の構成であるので、詳細な説明を省略する。
【００２８】
また、図２Ａ、図２Ｂに示すように、各ガスバルブ５０（５０ａ、５０ｂ、５０ｃ）は、それへのガスの入口となるバルブ入口５２（５２ａ、５２ｂ、５２ｃ）、コンロバーナ３１およびグリルバーナへのガスの供給口となるバルブ出口５３（５３ａ、５３ｂ、５３ｃ）を備えている。
【００２９】
この実施形態にかかるガス調理器１は、各ガスバルブ５０のバルブ入口５２と接続され、各ガスバルブ５０にガスを供給するガス導管６０を備えている（図２Ａ、図２Ｂ、図３参照）。
【００３０】
なお、この実施形態においては、ガス導管６０として、塗装を施したメッキ鋼管が用いられている。ただし、ガス導管６０を構成する材料に特別の制約はなく、他の材料からなるものを用いることも可能である。
【００３１】
そして、ガス導管６０の一端６０ａには、ガス導管６０の入口となり、機器外部からガスを供給するための接続部となる外部ガス接続部６１を備えている（図２Ａ、図３参照）。
【００３２】
なお、この実施形態では、外部ガス接続部６１はアルミダイキャストにより形成され、ガス導管６０との間にシール部材が介装されて、ガス導管６０と気密的に接続されている。ただし、外部ガス接続部６１を構成する材料に特別の制約はない。
【００３３】
また、ガス導管６０の他端６０ｂは、ガス導管６０の出口となるように構成されており、ガスを供給されるべき他のガス機器に接続される外部機器用ガス供給継手６２が配設されている（図２Ａ図３参照）。
【００３４】
なお、この実施形態において、外部機器用ガス供給継手６２は、アルミダイキャストにより形成され、ガス導管６０との間にシール部材が介装されて、ガス導管６０と気密的に接続されている。ただし、外部機器用ガス供給継手６２を構成する材料に特別の制約はない。
【００３５】
そして、ガス導管６０の、一端６０ａ側から他端６０ｂ側に至る途中領域の所定の位置には、各ガスバルブ５０（５０ａ、５０ｂ、５０ｃ）のバルブ入口５２（５２ａ、５２ｂ、５２ｃ）と接続される、ガスバルブ接続用継手６３（６３ａ、６３ｂ、６３ｃ）が配設されている（図２Ｂ、図３参照）。
すなわち、ガス導管６０は、バルブ入口５２の配置位置に沿って、その一端６０ａから、その他端６０ｂに亘るように延設されている。
【００３６】
なお、この実施形態において、ガスバルブ接続用継手６３は、黄銅により形成され、ガス導管６０と溶接されて、ガス導管６０と気密的に接続されている。ただし、ガスバルブ接続用継手６３を構成する材料に特別の制約はない。
【００３７】
この実施形態にかかるガス調理器１は、機器外部のガス供給管からガスが供給されるガス調理器であって、上述の構成を備えているので、ガス調理器１から、ガスオーブンなどの他のガス機器へガスを供給することができる。そしてその場合に、ガス調理器１にガスを供給するガス供給経路から、ガスオーブンなどの他のガス機器へのガスの供給を行うためのガス供給経路への分岐が不要で、他のガス機器へのガスの供給構造などを含めて、構造が簡潔なガス調理器を実現することができる。
【００３８】
また、この実施形態にかかるガス調理器１において、ガスバルブ５０は、図２Ａ、図４に示すように、バルブ入口５２を平面視した場合において、バルブ入口５２のガスが通流する領域、すなわち、バルブ側ガス流入口７２（図４参照）より外側に突出するように形成されたフランジ部７４を備えている。
そして、フランジ部７４には、上下方向に貫通する貫通口７３が形成されている。
【００３９】
なお、フランジ部７４は、この実施形態の場合のように、バルブ側ガス流入口７２を挟んで両側に突出する形態とされているが、フランジ部７４の形態に特別の制約はなく、バルブ側ガス流入口７２の全周から外側へ突出した鍔状の形態とすることも可能である。
【００４０】
また、ガスバルブ接続用継手６３は、平面視におけるガスの通流する領域、すなわち、継手側ガス流入口７５（図４参照）より外側の領域であって、ガスバルブ５０のフランジ部７４と、ガスバルブ接続用継手６３が所定の位置関係にあるとき、すなわち、ガスバルブ５０とフランジ部７４とが気密に接続されるべき位置にあるとき、フランジ部７４の上記貫通口７３と対向することになる位置に雌ネジ７６が形成されている。
なお、雌ネジ７６は、ガスバルブ接続用継手６３の所定の位置に設けた穴の内周面にネジが形成されたものである。
【００４１】
そして、この実施形態にかかるガス調理器は、ガスバルブ接続用継手６３の雌ネジ７６上に、ガスバルブ５０のフランジ部７４の、上記貫通口７３が位置する状態で、貫通口７３の上方から挿入され、雌ネジ７６に螺入される固定用雄ネジ７７を備えている。
【００４２】
この固定用雄ネジ７７を上記雌ネジ７６に螺入させ、さらに固定用雄ネジ７７を回転させて、雌ネジ７６と螺合させることにより、ガスバルブ５０とガスバルブ接続用継手６３とが気密的に接続される。
【００４３】
この実施形態においては、
（ａ）ガスバルブ５０が、上述のように、貫通口７３が形成されたフランジ部７４を備え、
（ｂ）ガスバルブ接続用継手６３が、フランジ部７４の貫通口７３と対向することになる位置に、上方から下方に向かう雌ネジ７６を備えるとともに、
（ｃ）ガスバルブ接続用継手６３の雌ネジ７６上に、フランジ部７４の貫通口７３が位置する状態で貫通口７３の上方から挿入され、雌ネジ７６に螺入される固定用雄ネジ７７を備えた構成を有しているので、
ガス調理器１の生産工程において、上方からの作業によってバルブ入口５２とガスバルブ接続用継手６３とを、容易、かつ、確実に接続することが可能で、生産性に優れたガス調理器を提供することができる。
【００４４】
＜参考実施形態＞
因みに、上記実施形態にかかるガス調理器１において、他のガス機器にガスを供給する外部機器用ガス供給継手６２（図２Ａ、図３）を備えていない構成とする場合、図５に示すように、ガス導管６０を、火力調節レバー１５ｃを備えるガスバルブ５０（５０ｃ）と接続されるガスバルブ接続用継手６３（６３ｃ）より、ガス導管６０の他端６０ｂ側で切断し、この切断箇所に閉塞体８０を挿入してろう付けするなどの方法で気密的に閉塞することで、外部機器用ガス供給継手６２を備えていない構成とすることができる。
【００４５】
なお、他のガス機器にガスを供給する外部機器用ガス供給継手６２（図２Ａ）を備えていない構成とする場合、ガス導管６０を、火力調節レバー１５ｃを備えるガスバルブ５０（５０ｃ）と接続されるガスバルブ接続用継手６３（６３ｃ）より、ガス導管６０の他端６０ｂ側で切断し、この切断箇所を例えば上下方向、または、前後方向に押しつぶして、押しつぶした箇所にろう材などを充填することで切断箇所を閉塞するようにしてもよい。この方法の場合、切断箇所に挿入される閉塞体が不要になり、材料費を低減することができる。
【００４６】
上述の実施形態では、ビルトイン型のドロップインコンロが備えるガスグリルに本発明を適用する場合について例示したが、本発明は、テーブルコンロのガスグリルにも適用可能である。
【００４７】
本発明は、さらにその他の点においても上記実施形態に限定されるものではなく、本発明の範囲内において種々の変形を加えることが可能である。
【符号の説明】
【００４８】
１        ガス調理器
２        加熱部
２ａ      コンロ部
２ｂ      グリル
１２      前面部
１３      電池ケース
１４（１４ａ、１４ｂ、１４ｃ）    点消火ボタン
１５（１５ａ、１５ｂ、１５ｃ）    火力調節レバー
２１      五徳
２８      グリル扉
３１      コンロバーナ
５０（５０ａ、５０ｂ、５０ｃ）    ガスバルブ
５１（５１ａ、５１ｂ、５１ｃ）    スライダ
５２（５２ａ、５２ｂ、５２ｃ）    バルブ入口
５３（５３ａ、５３ｂ、５３ｃ）    バルブ出口
６０        ガス導管
６０ａ      ガス導管の一端
６０ｂ      ガス導管の他端
６１        外部ガス接続部
６２        外部機器用ガス供給継手
６３（６３ａ、６３ｂ、６３ｃ）    ガスバルブ接続用継手
７２        バルブ側ガス流入口
７３        貫通口
７４        フランジ部
７５        継手側ガス流入口
７６        雌ネジ
７７        固定用雄ネジ
【図１】
2018200118.tif 000003
【図２Ａ】
2018200118.tif 000004
【図２Ｂ】
2018200118.tif 000005
【図３】
2018200118.tif 000006
【図４】
2018200118.tif 000007
【図５】
2018200118.tif 000008